(57)【要約】      （修正有）【課題】ゴミや異物の進入にも強く、引き剥がしにも強いバリア機構を備えた光学機器を提供する。【解決手段】機器本体の前面に配置され、レンズユニットを覆う第１の位置とレンズユニットの前面から退避した第２の位置とを直線的に移動するバリア部材と、機器本体の前面に配置され、機器の前後方向に移動可能なカバー部材とを有し、バリア部材が第１の位置にあるときは、バリア部材とカバー部材とが当接するように同一平面上に位置し、バリア部材が第２の位置にあるときは、カバー部材が機器の前後方向に移動することによってバリア部材とカバー部材が機器の前後方向に重なり合うことを特徴とした光学機器。【選択図】図４
2012032522.tif 000002
【特許請求の範囲】
【請求項１】
機器本体の前面に配置され、レンズユニットを覆う第１の位置とレンズユニットの前面から退避した第２の位置とを直線的に移動するバリア部材と、
前記機器本体の前面に配置され、機器の前後方向に移動可能なカバー部材とを有し、
前記バリア部材が前記第１の位置にあるときは、前記バリア部材と前記カバー部材とが当接するように同一平面上に位置し、前記バリア部材が前記第１の位置と同一平面上の第２の位置にあるときは、前記カバー部材が前記機器の前後方向に移動することによって前記バリア部材と前記カバー部材が機器の前後方向に重なり合うことを特徴とした光学機器。
【請求項２】
前記カバー部材は、前記バリア部材と当接しない部分を前記機器本体に対し回動可能に連結されることを特徴とする請求項１に記載の光学機器。
【請求項３】
前記カバー部材を前記機器の前後方向に付勢する付勢部材を更に有し、
前記付勢部材は、前記カバー部材を機器本体の前面方向に付勢することを特徴とする請求項１又は２に記載の光学機器。
【請求項４】
前記カバー部材が前記バリア部材の下に入るように、前記カバー部材の前記バリア部材と当接する部分に傾斜面が形成されることを特徴とする請求項１ないし３の何れか１項に記載の光学機器。
【請求項５】
前記カバー部材は、前記バリア部材が第１の位置にあるときに、前記カバー部材が前記機器の前後方向に移動するのを規制する規制部を有することを特徴とする請求項１ないし４の何れか１項に記載の光学機器。
【請求項６】
前記規制部は、前記バリア部材が所定の長さを動くことにより規制が解除されることを特徴とする請求項５に記載の光学機器。
【発明の詳細な説明】
【技術分野】
【０００１】
本発明は機器外面を覆う開閉可能なバリアを有する光学機器の構造に関するものである。
【背景技術】
【０００２】
従来、この種の光学機器において、機器外面を覆うバリアが閉じた状態では電源がオフして撮影不能となり、機器外面を覆うバリアが開いた状態では電源がオンして、光学系が光学機器本体から突出したり露出したりするものがあった。
【０００３】
特許文献１は、本体外側をバリアが摺動する方式の例であり、カメラ外面の撮影レンズを覆った位置に横スライド可能なバリアを配置し、それをスライドさせることで、撮影レンズを外面に露出させている。
【０００４】
また、特許文献２は本体前面のバリア支持部を摺動する方式の例であり、前述のカメラ上下面レールに代えて、カメラ外面の中央付近にバリアをスライド可能に保持する機構を設けている。
【先行技術文献】
【特許文献】
【０００５】
【特許文献１】特開２００３−１２１９０３号公報
【特許文献２】特開平９−１８５１０２号公報
【発明の概要】
【発明が解決しようとする課題】
【０００６】
特許文献１の方法は、常に摺動部が外側に露出しているために、外圧を受け摺動部を破損したり、ゴミや異物によってバリアの摺動を妨げやすい。
【０００７】
一方で、特許文献２の方法では、摺動機構が内包されているために防塵性に優れるものの、回転可能に支持している軸を支点にバリアが揺動してガタつきやすい。そのため、バリアの全開位置でバリアが係止せずに浮き上がり、引き剥がされる力に対して弱いという課題があった。
【０００８】
このような課題を鑑みて、本発明の目的は、ゴミや異物の進入にも強くバリアが係止せずに浮き上がることのない光学機器を提供することにある。
【課題を解決するための手段】
【０００９】
上記の課題を解決するために、本願発明の光学機器は、機器本体の前面に配置され、レンズユニットを覆う第１の位置とレンズユニットの前面から退避した第２の位置とを直線的に移動するバリア部材と、前記機器本体の前面に配置され、機器の前後方向に移動可能なカバー部材とを有し、前記バリア部材が前記第１の位置にあるときは、前記バリア部材と前記カバー部材とが当接するように同一平面上に位置し、前記バリア部材が前記第１の位置と同一平面上の第２の位置にあるときは、前記カバー部材が前記機器の前後方向に移動することによって前記バリア部材と前記カバー部材が機器の前後方向に重なり合うことを特徴とする。
【発明の効果】
【００１０】
本発明によれば、ゴミや異物の進入にも強く引き剥がしにも強いバリア機構を備えた光学機器を提供することができる。
【図面の簡単な説明】
【００１１】
【図１】本実施例に係るデジタルカメラ（第１の実施例）の撮影不能状態での概観図である。
【図２】本実施例に係るデジタルカメラ（第１の実施例）の撮影不能状態での分解斜視図である。
【図３】第１カバー３と係止溝２ｐ，２ｑとの関係を示す図である。
【図４】バリア４が閉状態、閉状態から開状態への遷移状態、開状態での断面図である。
【図５】本実施例に係るデジタルカメラ（第２の実施例）の撮影不能状態での概観図である。
【図６】本実施例に係るデジタルカメラ（第２の実施例）の撮影不能状態での分解斜視図である。
【図７】第２カバー１３の分解斜視図である。
【図８】バリア１４の分解斜視図である。
【図９】バリア１４を横から見た図である。
【図１０】本実施例に係るデジタルカメラ（第２の実施例）のバリア１４を開く動作について説明した図である。
【図１１】本実施例に係るデジタルカメラ（第２の実施例）のバリア１４を開く動作について説明した図である。
【図１２】本実施例に係るデジタルカメラ（第２の実施例）のバリア１４を開く動作について説明した図である。
【図１３】本実施例に係るデジタルカメラ（第２の実施例）のバリア１４を開く動作について説明した図である。
【図１４】本実施例に係るデジタルカメラ（第２の実施例）のバリア１４を開く動作について説明した図である。
【図１５】本実施例に係るデジタルカメラ（第２の実施例）のバリア１４を開く動作について説明した図である。
【発明を実施するための形態】
【００１２】
以下、本発明の実施例について、図１〜１５を参照しながら詳細に説明する。
【００１３】
（実施例１）
図１は、本発明を実施した光学機器としてのデジタルカメラを説明する概観図であって、あわせて本実施例のデジタルカメラの２つの状態を説明する説明図である。
【００１４】
外装部２はカメラ本体１を覆い、略６面体であるカメラ本体１のうち、正面から見て上面２ａ、下面２ｂ、左面２ｃ、右面２ｄ、および背面２ｅの５面を構成している。第１のカバー３（カバー部材）は、上面２ａおよび下面２ｂに挟まれた状態で、カメラ本体１の外面の正面から見て左半分を覆っている。バリア４（バリア部材）は、同じく上面２ａおよび下面２ｂに挟まれ、カメラ本体１の外面の残り右半分を覆っている。なお、バリア４の内側にはレンズユニット５が収納されている。
【００１５】
図１（ａ）は撮影不能状態の一例であり、電源オフ状態を示している。この状態ではバリア４は閉状態（第１の状態）となり、レンズユニット５はバリア４によって沈胴状態となっている。図１（ｂ）は撮影可能状態の一例であり、電源オン状態を示している。この状態ではバリア４は閉状態からスライドして退避することによって開状態（第２の状態）となり、レンズユニット５が露出されて撮影可能となる。なお、レンズユニット５は沈胴突出を移動するタイプであっても、突出しないタイプであっても良い。
【００１６】
本実施例のデジタルカメラは図１（ａ）の状態から手動操作によって図１（ｂ）の状態とすることができる。そして図１（ｂ）の状態で電源をオフしたときに、レンズユニット５を収納して図１（ａ）の状態とすることができる。若しくは、撮影者が手動操作によって図１（ｂ）の状態から図１（ａ）の状態にしようとした際に電源をオフにする構成でも良い。
【００１７】
図２は、カメラ本体１（機器本体）の分解斜視図である。図２（ａ）は上面２ａ側から見たときの、図２（ｂ）は下面２ｂ側から見たときの分解斜視図である。内側には、レンズユニット５や、図示しない画像処理回路、電源電池、メモリーカードなどが収納されている。ばね座２ｆ、２ｇ、２ｈ、２ｉは、外装部２の内側に固定されている。ばね６−９（付勢部材）は圧縮ばねであり、ばね６はばね座２ｆに，ばね７はばね座２ｇに，ばね８はばね座２ｈに，ばね９はばね座２ｉにそれぞれ取り付けられ、それぞれ第１カバー３を背面２ｅと離間する方向へ付勢するように配置されている。そして、カメラ本体１には、上面２ａの内側に係止溝２ｊ，２ｋが設けられ、下面２ｂの内側に係止溝２ｍ，２ｎが設けられている。また、第１カバー３には、第１カバー上面のうちの背面２ｅ側に係止爪３ａ，３ｂが、第１カバー下面のうち背面２ｅ側には係止爪３ｃ，３ｄが設けてある。この係止爪３ａ，３ｂを係止溝２ｊ，２ｋに、係止爪３ｃ，３ｄを係止溝２ｍ，２ｎに係止させる様にして、第１カバー３は外装部２に組み込んである。係止溝２ｊ−２ｎは、係止爪３ａ−３ｄと係止された状態で、第１カバー３と背面２ｅとの距離を伸縮自在に移動可能となるように直進溝が形成されている。従って、上面２ａと下面２ｂに形成された係止溝２ｊ−２ｎによって、第１カバー３は背面２ｅとの距離を伸縮自在に移動可能（光軸方向もしくは機器の前後方向に移動可能）となる。
【００１８】
また、外装部２の上面２ａの内側には、カメラ本体１の左右方向と並行に伸びた溝状のガイド部２ｐ、同じく下面２ｂの内側にはカメラ本体１の左右方向と並行に伸びた溝状のガイド部２ｑが設けられている。なお、ガイド部２ｐ、２ｑは各係止溝２ｈ−２ｋよりも正面側に配置され、第１カバー３の厚み、特に第１カバー３の正面から各係止爪３ａ，３ｂ，３ｃ，３ｄまでの距離ｘは、少なくともガイド部２ｐ、２ｑの太さｙよりも大きい（ｘ＞ｙ）ものとする。（図３のＡ，Ｂ）ここに、バリア４の側面に設けた凸形状の摺動部４ａおよび４ｂを勘合させることで、ガイド部２ｐと摺動部４ａが、ガイド部２ｑと摺動部４ｂがそれぞれ摺動することにより、バリア４が外装部２に対して左右方向に直線的に移動可能となる。このガイド部２ｐ，２ｑは、バリア４の閉状態（第１の状態）においては、第１カバー３とバリア４に隠れて外観に露出しない。そして、各係止溝２ｊ−２ｎや各係止爪３ａ−３ｄ、摺動部４ａ，４ｂは、ガイド部２ｐ，２ｑよりも背面２ｅ側にあるので、バリア４の閉状態（第１の状態）においても開状態（第２の状態）においても、第１カバー３とバリア４に隠れて外観に露出しない。
【００１９】
図４は下面２ｂ方向から見たときのカメラ本体１の断面図である。図４（ａ）はバリア４が閉状態（第１の状態）の時のガイド部２ｐ、２ｑ、第１カバー３、バリア４、レンズユニット５、ばね６−９の状態を示している。このとき、バリア４は閉状態の位置（第１の位置）にいる。第１カバー３は、ばね６−９によって背面２ｅと離間する方向に押圧されることによってバリア４と同じ平面上にある。図４（ｂ）は第１カバー３に矢印Ａ方向から力が掛かった場合の図である。この場合、Ａ方向からの外力によってばね６−９が収縮し、第１カバー３の位置が背面２ｅ方向に移動する。これによってガイド部２ｐ、２ｑを同一平面上に第１カバーが存在しなくなるので、バリア４が第１カバーの上（図４での上方向、図１では正面方向）に移動可能になる。図４（ｃ）はバリア４が移動して開状態（第２の状態）となったときの断面図である。つまり、図４（ｃ）はバリア４は閉状態の位置（第１の位置）からガイド部１２ｐ、１２ｑによって開状態の位置（第２の位置）に移動した状態である。この場合、第１カバー３とバリア４が光軸方向に重なり合い、レンズユニット５が露出するため、撮影可能状態となる。
【００２０】
なお、本実施例においては、ガイド部２ｐ、２ｑは溝状としたが、摺動部４ａおよび４ｂが溝状でガイド部２ｐ，２ｑが凸形状となっていてもよい。
【００２１】
これにより、撮影不能状態においてはバリア４を閉状態とするので、ゴミや異物がカメラ内部、特にレンズユニットに進入することを防ぐことができる。かつ、撮影不能状態においては第１カバー３とバリア４が同一平面状に存在して摺動部や係止溝を外面に露出しないので、バリアが係止せずに浮き上がることのないバリア機構を備えた光学機器を提供することができる。
【００２２】
（実施例２）
図５は、本発明を実施した光学機器としてのデジタルカメラを説明する概観図であって、あわせて本実施例のデジタルカメラの２つの状態を説明する説明図である。これは第一実施例に対して機構を追加・変更し、より操作性や安定性を高める様に改善したものである。なお、概観は図１と大差ないため、図１の番号の１０の位に「１」をつけて対応させ、本実施例に特有の構成は番号の１０の位に「２」を付けて区別させる。（例えば、実施例１のレンズユニット５→実施例２ではレンズユニット１５）
外装部１２はカメラ本体１１を覆い、略６面体であるカメラ本体１１のうち、正面から見て上面１２ａ、下面１２ｂ、左面１２ｃ、右面１２ｄ、および背面１２ｅの５面を構成している。第２のカバー１３（カバー部材）は、上面１２ａおよび下面１２ｂに挟まれた状態で、カメラ本体１１の外面の正面から見て左半分を覆っている。バリア１４（バリア部材）は、同じく上面１２ａおよび下面１２ｂに挟まれ、カメラ本体１１の外面の残り右半分を覆っている。なお、バリア１４の内側にはレンズユニット１５が収納されている。また、後述のロック機構に連携する係止機構として、外装部１２の内側に、係止ブロック２６が固定されている。
【００２３】
図５（ａ）は撮影不能状態の一例であり、電源オフ状態を示している。この状態ではバリア１４は閉状態（第１の状態）となり、レンズユニット１５はバリア１４によって沈胴状態となっている。図５（ｂ）は撮影可能状態の一例であり、電源オン状態を示している。この状態ではバリア１４は閉状態からスライドして開状態（第２の状態）となり、レンズユニット１５が露出されて撮影可能となる。なお、レンズユニット１５は沈胴突出を移動するタイプであっても、突出しないタイプであっても良い。
【００２４】
図６は、本実施例のデジタルカメラの分解斜視図である。図６（ａ）は上面２ａ側から見たときの、図６（ｂ）は下面２ｂ側から見たときのカメラ本体１１の分解斜視図である。内側には、レンズユニット１５や、図示しない画像処理回路、電源電池、メモリーカードなどが収納されている。
【００２５】
本実施例のデジタルカメラが第一実施例のデジタルカメラと異なる点は、まず、第２カバー１３が沈下する機構についてである。第２カバー１３は、第２カバー１３の一端（ここでは左面１２ｃ側）と外装部１２が軸２０によって回動可能に連結される。詳細には、第２カバー１３は、一端（ここでは左面１２ｃ側）にカバー軸穴１３ｒおよび１３ｓを有し、ここに軸２０を通して、上面１２ａおよび下面１２ｂに設けられた軸受１２ｒおよび１２ｓに取り付けてある。そして軸２０に取り付けられたばね２１は、ねじりコイルばねであり、軸２０を回動中心として第２カバー１３を背面１２ｅと離間する方向へ付勢するように配置されている。外装部１２には、上面１２ａの内側に係止溝１２ｊ、下面１２ｂの内側に係止溝１２ｍが設けられ、第２カバー１３と背面１２ｅとの距離を伸縮自在に移動可能となるようにそれぞれ直進溝が形成されている。第２カバー１３には上下側面に係止爪１３ａおよび１３ｃが設けてある。この係止爪１３ａを係止溝１２ｊに、係止爪１３ｃを係止溝１２ｍに係止させ、第２カバー１３を外装部１２に組み込んである。これによって、第２カバー１３は、係止爪１３ａおよび１３ｃが係止溝１２ｊおよび１２ｍの直進溝を移動可能になることで、軸２０を中心に先端部２２ａおよび２２ｂが背面１２ｅとの距離を伸縮自在に移動可能（回動可能）となるように構成されている。なお、第２カバー１３は通常はばね２１で外方向へ付勢されて外装部１２の外面を形成する位置に静止されている。
【００２６】
また、外装部１２の上面１２ａの内側には、カメラ本体１１の左右方向に対して若干の傾斜角をもった溝状のガイド部１２ｐ、同じく下面１２ｂの内側にはカメラ本体１１の左右方向に対して若干の傾斜角をもった溝状のガイド部１２ｑが設けられている。ガイド部１２ｐ，１２ｑのカメラ本体１１の左右方向に対する傾斜角は、第２カバー１３が軸２０を中心に回転する角度と略一致している。そしてガイド部１２ｐ，１２ｑをバリア１４の機構のうちガイド部２３ａおよび２３ｂがスライドすることによってバリア１４は左右方向に動くことが可能となっている。このバリア１４の機構については図８を用いて後述する。
【００２７】
図７は第２カバー１３の分解斜視図である。図７（ａ）は外装側から、図７（ｂ）は裏面（背面１２ｅ方向から）見たときの分解斜視図である。本実施例においては第一実施例のデジタルカメラと異なり、ロック機構を追加した。
【００２８】
規制部材としてのロック部２２は、先端部２２ａおよび２２ｂを有し、そこに突起部２２ｃおよび２２ｄが設けられ、また第２カバー１３のビス座１３ｅおよび１３ｇにビス２５ｅと２５ｇによって勘合させるための長穴部２２ｅおよび２２ｆが設けられている。ばね２３はねじりコイルばね（トーションばね）で、ロック部２２をバリア１４の方向に付勢するためのものである。このロック部２２とばね２３を第２カバー１３に取り付け、保持板２４を被せてビス２５ｅ，２５ｆ，２５ｇで第２カバー１３の内側のビス座１３ｅ，１３ｆ，１３ｇに固定する。これにより、ロック部２２は、長穴部２２ｅおよび２２ｇがビス座１３ｆおよび１３ｇに対して可動な範囲で第２カバー１３に対してばね２３で付勢され、先端部２２ａおよび２２ｂがバリア１４の方向に突出する様に形成される。そして先端部２２ａおよび２２ｂを押し込むと、バリア１４から離れる方向に移動し、これと一緒に突起部２２ｃおよび２２ｄも移動する様になっている。
【００２９】
係止ブロック２６の当接面２６ａおよび２６ｂは、それぞれとロック部２２の突起部２２ｃおよび２２ｄに当接する。これによってロック部２２がバリア１４の方向に突出している時は、ロック部２２の沈下（背面１２ｅ方向への移動）が規制される（図１０）。また、係止ブロック２６の陥没部２６ｃおよび２６ｄは、ロック部２２がバリア１４から離れる方向に移動すると突起部２２ｃおよび２２ｄが接するようになる（図１３）。なお、これらの機構は上面１２ａの側と下面１２ｂの側の２ヶ所に分けているので、中央１ヶ所に設けた場合よりも、ロックされている時に第１カバーが外側から押された場合の強度や安定性を確保しやすい。かつ、内蔵物を配置する上でも、中央スペースを有効活用できる。
【００３０】
図８はバリア１４の機構を示した分解斜視図である。スライド板２７はガイド部２７ｐおよび２７ｑを第１ガイド部１２ｐおよび第２ガイド部１２ｑに嵌合させ、左右方向に摺動できる様にしたものである。第２カバー１３が回転して先端部２２ａおよび２２ｂがカメラ本体１１の外側から内側（背面方）へ沈下すると、第２カバー１３に隠れていた第１ガイド部１２ｐおよび第２ガイド部１２ｑが露出し、そこをバリア１４が左右方向へ摺動する様になっている。
【００３１】
図９（ａ）はバリア１４を横から見た図である。スライド板２７に設けた取付ビス穴２７ｃおよび２７ｄに、バリア１４の取付ビス座１４ａおよび１４ｂを勘合させ、バネ板２８をはさんでビス２９ｃおよび２９ｄで締め付けたものである。また、スライド板２７には可動ビス穴２７ｅおよび２７ｆが設けてあり、ここにバリア１４の可動ビス座１４ｅおよび１４ｆを勘合させ、２９ｅおよび２９ｆで締め付ける。ここで、可動ビス座１４ｅおよび１４ｆの大きさは、スライド板２７の厚さより所定量長く、かつ可動ビス穴２７ｅおよび２７ｆの穴径より所定量小さい直径で形成されている。図９（ｂ）はバリア１４を傾けたときの横から見た図であるが、上記のような構成によって、スライド板２７の可動ビス穴２７ｅおよび２７ｆがビス２９ｅおよび２９ｆに当たってそれ以上の揺動を規制することで、バリア１４を傾けることが可能となる。また図９に示したバネ板２８のバネ部２８ｇがスライド板２７のバネ板当接部２７ｇを押してバリア１４を元へ戻す働きをする。
【００３２】
図１０は、第２カバー１３とバリア１４が隣接する部分を横から見た図である。第２カバー１３とバリア１４は同一平面内にありカメラ本体１１の外装部の一部となっている。第２カバー１３とバリア１４の隣接する面はカバー外面に対し垂直ではなく、所定の傾斜を有している。すなわち、第２カバー１３には、カバー外表面から内側へ向かうにつれバリア１４に接近する様な傾斜面１３ｈが設けられ、バリア１４には、それと平行な傾きを持つ傾斜面１４ｈが設けてある。これにより、バリア１４を第２カバー１３の方へ移動させると、傾斜面１３ｈおよび１４ｈが接することにより、バリア１４はカメラ本体１１の外方向へ浮上しようとし、また第２カバー１３もカメラ本体１１の内側へ沈下しようとする力が生じる様になっている。また、ロック部２２とスライド板２７の関係であるが、第２カバー１３は、ロック部２２の先端部２２ａおよび２２ｂが第１ガイド部１２ｐおよび第２ガイド部１２ｑと同じ平面内にあるように位置している。
【００３３】
図１１，１２，１３，１４、１５は本実施例におけるデジタルカメラのバリア１４を開く動作について説明した図である。バリア１４を右側から左方向へ押すと、バリア１４の傾斜面１４ｈが、第２カバー１３の傾斜面１３ｈに当たり、傾斜面に沿ってバリア１４が第２カバー１３の外面に乗り上げる。そして、バリア１４に取り付けられたスライド板２７のガイド部２３ａおよび２３ｂが、第１ガイド部１２ｐおよび第２ガイド部１２ｑを摺動することによって、バリア１４が左方向へ移動し始める。（図１１）
スライド板２７が第１ガイド部１２ｐおよび第２ガイド部１２ｑに沿って左方向にスライドしてくると、スライド板２７が先端部２２ａおよび２２ｂを押して、ロック部２２を一緒に第２カバー１３の方向に移動させる。（図１２）
スライド板２７がロック部２２の先端部２２ａおよび２２ｂを押すと、ロック部２２の突起部２２ｃおよび２２ｄが係止ブロック２６の陥没部２６ｃおよび２６ｄに達する。この状態になることで、第２カバー１３がロック解除された状態となるので、第２カバー１３はカメラ本体１１の内側へ沈下できる様になる。（図１３）
図１３の状態でカメラ本体１１の外側方向（前面方向）に動き、第２カバー１３の上に乗り上げていたバリア１４には、バネ板２８の付勢によって第１ガイド部１２ｐおよび第２ガイド部１２ｑと同じ平面内に戻ろうとする力が働く。代わりに第２カバー１３を内側（背面１２ｅの方向）へ移動する。（図１４）すると、ロック部２２も第２カバー１３と共に沈下してスライド板２７の下へ移動するので、スライド板２７に押されていた先端部２２ａおよび２２ｂが解除され、ばね２３の付勢によってロック部２２は右方向へ戻ろうとする。しかし突起部２２ｃおよび２２ｄが陥没部２６ｃおよび２６ｄの右側の壁面に当たることでそれぞれ係止されたままなので、ロック解除状態のままとなる。
【００３４】
そしてさらにバリア１４を移動させると、バリアを開状態（第２の状態）とすることができる。この際、第２カバー１３とバリア１４が機器の前後方向に重なり合う状態となる。（図１５）
次に、このカメラのバリアを閉じる操作について説明する。図１５の状態からバリア１４を右へ移動させると、移動中は図１４の様にバネ板２８の付勢力によって、バリア１４が第２カバー１３をカメラ本体１１の内側へ押し込んだ状態を維持する。その場合、ロック部２２は第２カバー１３と共に沈下し、ロック解除されたままである。そして、バリア１４の傾斜面１４ｈが第２カバー１３の傾斜面１３ｈに達すると、バリア１４が第２カバー１３を押し込まなくなるので、ばね２１の付勢力で第２カバー１３がカメラ前面方向へ再び浮上する。（図１１）このとき、ロック部２２も係止ブロック２６から浮上するので、突起部２２ｃおよび２２ｄが係止ブロック２６の陥没部２６ｃおよび２６ｄに係止しなくなる。そして、ロック部２２がばね２１に付勢されてバリア１４の方向に突出し、突起部２２ｃおよび２２ｄが当接面２６ａおよび２６ｂに当接するので、第２カバー１３が第１ガイド部１２ｐおよび第２ガイド部１２ｑと同じ平面内にある、即ちロック状態に復帰する。
【００３５】
図１０から図１５までの、バリア１４を閉状態（第１の状態）から開状態（第２の状態）に移動させる操作は、単にバリア１４を右から左へスライドさせるだけなので操作性がよい。また、バリア１４を開状態（第２の状態）から閉状態（第１の状態）にする操作も、単にバリア１４を左から右へスライドさせるだけなので操作性がよい。
【００３６】
なお、このバリアを開いた状態で、バリア１４を故意に手で捲り上げる様な力を加えた場合、例えば図１１の状態にてバリア１４の先端である傾斜面１３ｅを背面１２ｅから遠ざける方向に力を加えた場合を考える。この場合、バリア１４は、スライド板２７に対して取付ビス座１４ｃおよび１４ｄを支点にして図１２の様に所定量浮き上がる。すると、スライド板２７の可動ビス穴２７ｅおよび２７ｆがビス２９ｅおよび２９ｆに当たってそれ以上の揺動を規制するので、バリア１４の捲り上がりを防止できる。また、手を離せばバネ板２８の付勢力で直ちに戻る。
【図１】
2012032522.tif 000003
【図２】
2012032522.tif 000004
【図３】
2012032522.tif 000005
【図４】
2012032522.tif 000006
【図５】
2012032522.tif 000007
【図６】
2012032522.tif 000008
【図７】
2012032522.tif 000009
【図８】
2012032522.tif 000010
【図９】
2012032522.tif 000011
【図１０】
2012032522.tif 000012
【図１１】
2012032522.tif 000013
【図１２】
2012032522.tif 000014
【図１３】
2012032522.tif 000015
【図１４】
2012032522.tif 000016
【図１５】
2012032522.tif 000017